【手続補正書】
【提出日】平成22年4月9日(2010.4.9)
【手続補正１】
【補正対象書類名】特許請求の範囲
【補正対象項目名】全文
【補正方法】変更
【補正の内容】
【特許請求の範囲】
【請求項１】
通信装置と、電力線を介して前記通信装置に接続されている通信端末とを備え、
前記通信装置は、
信号を送受信する第１の通信手段と、
前記通信端末との通信に基づいて、前記電力線を用いた通信ネットワークにおける通信を制御するマスタ装置として機能する機器を検出する検出手段と、
前記通信装置と前記通信端末との間に通信ネットワークを構成するためのペアリング処理を実行する第１のペアリング手段とを備え、
前記通信端末は、
信号を送受信する第２の通信手段と、
前記通信装置との通信の結果に応じて、前記ペアリング処理を実行するための第２のペアリング手段とを備え、
前記検出手段は、
前記マスタ装置として機能することを表わすマスタデータを前記通信端末に要求する要求手段と、
前記マスタデータを前記通信端末から受信したか否かを確認する第１の確認手段とを含み、
前記通信端末は、前記通信装置からの要求に応答して、前記マスタデータを有しているか否かを確認する第２の確認手段をさらに備え、
前記第２の通信手段は、前記第２の確認手段による確認の結果を前記通信装置に送信し、
前記第２の通信手段は、前記通信端末が前記マスタデータを有している場合に、前記マスタデータを前記通信装置に送信し、
前記第１のペアリング手段は、前記通信端末から前記マスタデータの受信を検知した場合に、前記ペアリング処理の開始要求を前記通信端末に送信し、
前記第２のペアリング手段は、前記開始要求に基づいて、前記ペアリング処理を開始する、通信システム。
【請求項２】
前記マスタデータは、前記通信ネットワークを識別するネットワーク識別データを含み、
前記通信装置は、前記通信装置を識別する第１の識別データを格納する第１の記憶手段をさらに備え、
前記第１のペアリング手段は、前記第１の識別データを前記通信端末に送信し、
前記通信端末は、メモリをさらに備え、
前記通信端末の前記第２のペアリング手段は、前記第１の識別データと前記ネットワーク識別データとを関連付けて、前記メモリに格納する、請求項１に記載の通信システム。
【請求項３】
前記第２の通信手段は、前記通信端末が前記マスタデータを有していない場合に、前記通信端末が前記マスタデータを有していないことを表わす回答信号を前記通信装置に送信し、
前記第１のペアリング手段は、前記回答信号が受信されたことに基づいて前記マスタデータを生成し、
前記第１の通信手段は、前記マスタデータを前記通信端末に送信し、
前記通信端末は、前記通信装置が前記マスタ装置として機能することを検知する検知手段をさらに備え、
前記第２のペアリング手段は、前記検知手段による検知に基づいて、前記ペアリング処理の開始要求を前記通信装置に送信する、請求項２に記載の通信システム。
【請求項４】
前記通信装置は、前記通信装置を識別する第１の識別データと、前記通信ネットワークを識別するネットワーク識別データとを格納する第１の記憶手段をさらに備え、
前記第１のペアリング手段は、前記第１の識別データと前記ネットワーク識別データとに基づいて前記マスタデータを生成する、請求項３に記載の通信システム。
【請求項５】
前記通信端末は、前記通信端末を識別する第２の識別データを格納する第２の記憶手段をさらに備え、
前記第２のペアリング手段は、前記開始要求と前記第２の識別データとを前記通信装置に送信し、
前記通信装置の前記第１のペアリング手段は、前記開始要求の受信に基づいて、前記第２の識別データと前記ネットワーク識別データとを関連付ける、請求項４に記載の通信システム。
【請求項６】
電力線に接続されている通信端末と通信可能な通信装置であって、
信号を送受信する通信手段と、
前記通信端末との通信に基づいて、前記電力線を用いた通信ネットワークにおける通信を制御するマスタ装置として機能する機器を検出する検出手段と、
前記通信装置と前記通信端末との間に通信ネットワークを構成するためのペアリング処理を実行するペアリング手段とを備え、
前記検出手段は、
前記マスタ装置として機能することを表わすマスタデータを前記通信端末に要求する要求手段と、
前記マスタデータを前記通信端末から受信したか否かを確認する確認手段とを含み、
前記通信端末は、前記マスタデータを有している場合に、前記マスタデータを前記通信装置に送信し、前記通信装置からの要求に応じて前記ペアリング処理を実行するように構成されており、
前記ペアリング手段は、前記通信端末から前記マスタデータの受信を検知した場合に、前記ペアリング処理の開始要求を前記通信端末に送信する、通信装置。
【請求項７】
前記マスタデータは、前記通信ネットワークを識別するネットワーク識別データを含み、前記通信端末は、メモリを備え、かつ、前記通信装置と前記ネットワーク識別データとを関連付けて前記メモリに格納することにより、前記ペアリング処理を実行するように構成されており、
前記通信装置は、前記通信装置を識別する第１の識別データを格納する記憶手段をさらに備え、
前記ペアリング手段は、前記第１の識別データを前記通信端末に送信する、請求項６に記載の通信装置。
【請求項８】
前記通信端末は、前記マスタデータを有していない場合に、前記通信端末が前記マスタデータを有していないことを表わす回答信号と、前記ペアリング処理の開始要求とを前記通信装置に送信するように構成されており、
前記ペアリング手段は、前記回答信号の受信に基づいて前記マスタデータを生成し、
前記通信手段は、前記マスタデータを前記通信端末に送信する、請求項６に記載の通信装置。
【請求項９】
前記通信装置は、前記通信装置を識別する識別データと、前記通信ネットワークを識別
するネットワーク識別データとを格納する記憶手段をさらに備え、
前記ペアリング手段は、前記識別データと前記ネットワーク識別データとに基づいて前記マスタデータを生成する、請求項８に記載の通信装置。
【請求項１０】
前記通信端末は、前記通信端末を識別する第２の識別データを有しており、前記開始要求と前記第２の識別データとを前記通信装置に送信するように構成されており、
前記ペアリング手段は、前記開始要求の受信に基づいて、前記第２の識別データと前記ネットワーク識別データとを関連付ける、請求項９に記載の通信装置。
【請求項１１】
電力線に接続されている通信装置と通信可能な通信端末であって、前記通信装置は、前記電力線を用いた通信ネットワークにおける通信を制御するマスタ装置として機能する機器を検出し、前記通信装置と前記通信端末との間に通信ネットワークを構成するためのペアリング処理を実行するように構成されており、
前記通信端末は、
信号を送受信する通信手段と、
前記通信装置との通信の結果に基づいて、前記ペアリング処理を実行するペアリング手段とを備え、
前記通信装置は、前記マスタ装置として機能することを表わすマスタデータを前記通信端末に要求し、前記マスタデータを前記通信端末から受信したか否かを確認するように構成されており、
前記通信端末は、前記通信装置からの要求に応答して、前記マスタデータを有しているか否かを確認する確認手段をさらに備え、
前記通信手段は、前記確認手段による確認の結果を前記通信装置に送信し、
前記通信手段は、前記通信端末が前記マスタデータを有している場合に、前記マスタデータを前記通信装置に送信し、
前記通信装置は、前記通信端末から前記マスタデータの受信を検知した場合に、前記ペアリング処理の開始要求を前記通信端末に送信するように構成されており、
前記ペアリング手段は、前記開始要求に基づいて、前記ペアリング処理を開始する、通信端末。
【請求項１２】
前記通信端末は、メモリをさらに備え、
前記マスタデータは、前記通信ネットワークを識別するネットワーク識別データを含み、
前記通信装置は、前記通信装置を識別する第１の識別データを有しており、前記第１の識別データを前記通信端末に送信するように構成されており、
前記ペアリング手段は、前記第１の識別データと前記ネットワーク識別データとを関連付けて前記メモリに格納する、請求項１１に記載の通信端末。
【請求項１３】
前記通信手段は、前記通信端末が前記マスタデータを有していない場合に、前記通信端末が前記マスタデータを有していないことを表わす回答信号を前記通信装置に送信し、
前記通信装置は、前記回答信号が受信されたことに基づいて前記マスタデータを生成し、前記マスタデータを前記通信端末に送信するように構成されており、
前記通信端末は、前記通信装置が前記マスタ装置として機能することを検知する検知手段をさらに備え、
前記ペアリング手段は、前記検知手段による検知に基づいて、前記ペアリング処理の開始要求を前記通信装置に送信する、請求項１１に記載の通信端末。
【請求項１４】
前記通信装置は、前記通信装置を識別する第１の識別データと、前記通信ネットワーク
を識別するネットワーク識別データとを有しており、前記第１の識別データと前記ネットワーク識別データとに基づいて前記マスタデータを生成するように構成されており、
前記通信端末は、前記通信端末を識別する第２の識別データを格納する記憶手段をさらに備え、
前記ペアリング手段は、前記開始要求と前記第２の識別データとを前記通信装置に送信する、請求項１３に記載の通信端末。
【請求項１５】
通信システムであって、
電力線に接続される第１の通信装置と、
前記電力線を介して前記第１の通信装置に接続される第２の通信装置とを備え、
前記第１の通信装置は、前記電力線を用いた通信ネットワークにおける通信を制御するマスタ装置として機能し、
前記第２の通信装置は、
前記電力線を介して前記第１の通信装置と通信するための通信手段と、
新たな通信装置を前記通信ネットワークに追加するためのペアリング操作を受け付ける操作手段と、
データを格納するメモリと、
前記第２の通信装置の動作を制御する制御手段とを備え、
前記制御手段は、
前記ペアリング操作に基づいて、前記第１の通信装置に対して、前記マスタ装置として機能するためのマスタデータの送信を要求するマスタデータ要求手段と、
前記第１の通信装置から前記マスタデータを受信すると、前記マスタデータを前記メモリに格納して、前記新たな通信装置との間でペアリング処理を実行するペアリング手段とを含む、通信システム。
【請求項１６】
電力線を用いた通信ネットワークを構成するための通信装置であって、
前記電力線を用いた通信ネットワークにおける通信を制御するマスタ装置として機能する他の通信端末と通信するための通信手段と、
前記通信ネットワークに新たな通信端末を追加するためのペアリング操作を受け付ける操作手段と、
データを格納するメモリと、
前記通信装置の動作を制御する制御手段とを備え、
前記制御手段は、
前記ペアリング操作に基づいて、前記他の通信端末に対して、前記マスタ装置として機能するためのマスタデータの送信を要求するマスタデータ要求手段と、
前記他の通信端末から前記マスタデータを受信すると、前記マスタデータを前記メモリに格納して、前記新たな通信端末との間でペアリング処理を実行するペアリング手段とを含む、通信装置。
【請求項１７】
第１の通信装置と、電力線を介して前記第１の通信装置に接続されている第２の通信装置との間で通信ネットワークを構成するための通信設定方法であって、
前記第１の通信装置が、前記電力線を介して前記第２の通信装置と通信することにより、前記通信ネットワークにおける通信を制御するマスタ装置として機能する装置を検出する処理を実行する検出ステップと、
前記処理の実行の結果に応じて前記第１の通信装置および前記第２の通信装置のいずれかを前記マスタ装置とすることにより、前記マスタ装置とされた装置と、前記マスタ装置とされなかった装置とが、前記通信ネットワークを構成するためのペアリング処理を実行するペアリングステップとを備え、
前記ペアリングステップは、前記第２の通信装置が前記マスタ装置として機能する装置であることが検出された場合に、前記第１の通信装置が前記第２の通信装置から前記電力線による通信のためのデータを取得するステップと、前記第２の通信装置が、前記第１の通信装置を前記通信ネットワークに登録するステップとを含み、
前記ペアリングステップは、前記第１の通信装置が前記マスタ装置として機能する装置であることが検出された場合に、前記第１の通信装置が、前記第２の通信装置から前記通信ネットワークへの参加要求を待機するステップを含む、通信設定方法。
【請求項１８】
前記マスタ装置として機能する装置が検出されなかった場合に、前記第１の通信装置および前記第２の通信装置のいずれかを、前記マスタ装置として機能する装置に設定する設定ステップをさらに備える、請求項１７に記載の通信設定方法。
【請求項１９】
前記第１の通信装置は、前記前記通信ネットワークにおける通信を制御する管理データを導出するための設定データを有しており、
前記設定ステップは、前記第１の通信装置が、前記設定データに基づいて前記管理データを生成するステップを含む、請求項１８に記載の通信設定方法。
【請求項２０】
前記通信ネットワークは、前記電力線に接続されている第３の通信装置をさらに含み、
前記設定ステップは、
前記第１の通信装置および前記第２の通信装置のいずれかの装置が、前記第３の通信装置は前記マスタ装置として機能する装置であるか否かを確認する確認ステップと、
前記第３の通信装置が前記マスタ装置として機能する装置であることが確認された場合に、前記第１の通信装置および前記第２の通信装置のいずれかの装置が、前記第３の通信装置から、前記通信ネットワークにおける通信を制御するための管理データを取得するステップと、
前記いずれかの装置が前記管理データを保存するステップとを含む、請求項１８に記載の通信設定方法。
【請求項２１】
前記確認ステップは、
前記いずれかの装置が、前記第３の通信装置に対して、前記管理データを要求するステ
ップと、
前記第３の通信装置から前記管理データを受信したか否かを確認するステップとを含む、請求項２０に記載の通信設定方法。